(57)【要約】【課題】肌等の保水性を十分に維持可能な空気調和機を提供する。【解決手段】空気調和の対象となる室内の空気を吸い込む開口部６Ａ，６Ｂと、開口部６Ａ，６Ｂから吸い込まれた空気との間で熱交換することにより空気調和を行う熱交換器１６と、熱交換器１６において熱交換された空気を室内に放出する空気吹き出し口１２と、空気吹き出し口１２から空気を室内に吹き出すための貫流ファン１４と、空気吹き出し口１２から吹き出される空気に対して供給される保湿成分を保持した保湿成分添着部材３０と、を備える室内機を具備する空気調和機１００とする。【選択図】図３
2017053512.tif 000002
【特許請求の範囲】
【請求項１】
空気調和の対象となる室内の空気を吸い込む空気吸い込み口と、
当該空気吸い込み口から吸い込まれた空気との間で熱交換することにより空気調和を行う熱交換器と、
当該熱交換器において熱交換された空気を室内に放出する空気吹き出し口と、
当該空気吹き出し口から空気を室内に吹き出すための貫流ファンと、
前記空気吹き出し口から吹き出される空気に対して供給される保湿成分を保持した保湿成分保持部材と、を備える室内機を具備することを特徴とする、空気調和機。
【請求項２】
前記空気吸い込み口と前記空気吹き出し口とを繋げる、前記熱交換器及び前記貫流ファンが配置される第一風路と、
当該第一風路とは異なる風路であって、前記保湿成分保持部材が配置される第二風路と、
を備えることを特徴とする、請求項１に記載の空気調和機。
【請求項３】
前記保湿成分保持部材はプリーツ状の形態を有していることを特徴とする、請求項１又は２に記載の空気調和機。
【請求項４】
前記保湿成分保持部材に担持される保湿成分は、Ｌ−アスコルビン酸及びＬ−アスコルビン酸リン酸マグネシウムからなる群より選ばれる少なくとも一種であることを特徴とする、請求項１又は２に記載の空気調和機。
【請求項５】
前記第二風路には、前記貫流ファンとは独立して制御可能な送風ファンが備えられていることを特徴とする、請求項２に記載の空気調和機。
【請求項６】
前記送風ファンは、前記空気調和とは独立して制御可能になっていることを特徴とする、請求項５に記載の空気調和機。
【請求項７】
前記保湿成分保持部材は交換可能なカートリッジ式になっていることを特徴とする、請求項１又は２に記載の空気調和機。
【発明の詳細な説明】
【技術分野】
【０００１】
本発明は空気調和機に関する。
【背景技術】
【０００２】
空気調和機は、室内空気を熱交換器に通過させて、加熱、冷却、除湿された空気（調和空気）とし、これを室内に吹き出すことにより室内を空気調和する。このとき、温度、湿度の調節以外にも空気の循環機能を利用して、抗酸化物質や反応性の高いラジカルを含んだ微細水滴等を放出することが望まれている。これにより、放出された微細水滴等が使用空間内の汚染物質や使用者に対して作用し、快適な空間を提供することができる。
【０００３】
また、熱交換器を通過して吹出された空気は乾燥した空気であるため、直接その吹き出された空気に当たると、肌や喉が乾燥して、非常に不快である。そこで、空気調和機には、肌や喉の乾燥を抑制できる機能が望まれている。このような機能を発揮させる方法として、特許文献１に記載の技術が知られている。
【０００４】
特許文献１には、イオン発生手段を使用して発生させた正負イオンを、送風機の低速の気流に載せて使用者に照射するとともに、肌表面に照射するイオン濃度を所定値以上に高めることにより、正負イオンが反応して生成する水が肌に潤いを与え、肌弾力を向上させることが記載されている。また、イオン発生手段から供給されるイオンを吹出口から放出する際、イオン濃度が高めながらも吹出し速度が低速に保たれるように制御されている。
【先行技術文献】
【特許文献】
【０００５】
【特許文献１】特開２０１１−９８１８７号公報（特許第４７９００６８号公報）
【発明の概要】
【発明が解決しようとする課題】
【０００６】
特許文献１に記載の技術において、空気中に正負イオンやヒドロキシル基（−ＯＨ）が発生したとき、これらが発生してから消滅までの時間は極めて短い。そのため、肌の保水性を維持しつつ空気調和を行おうとすると、肌の保水に使用される正負イオンやヒドロキシル基がすぐに消滅してしまうため、得られる保水性維持の効果は限定的である。
【０００７】
そこで、効果を十分に発揮させるため、空気調和機が設置された使用空間内を正負イオンで充満させ、使用者と正負イオンが接触する時間を増やしたり、直接使用者に向けて正負イオンを照射する気流を空気調和機から送風したりすることが考えられる。しかし、いずれの方法も効果には限度があり、十分に優れた効果を得るためには効率的ではない。
【０００８】
本発明はこれらの課題に鑑みて為されたものであり、本発明が解決しようとする課題は、肌等の保水性を十分に維持可能な空気調和機を提供することにある。
【課題を解決するための手段】
【０００９】
本発明者らは前記課題を解決するべく鋭意検討した結果、以下の知見を見出した。即ち、本発明の要旨は、空気調和の対象となる室内の空気を吸い込む空気吸い込み口と、当該空気吸い込み口から吸い込まれた空気との間で熱交換することにより空気調和を行う熱交換器と、当該熱交換器において熱交換された空気を室内に放出する空気吹き出し口と、当該空気吹き出し口から空気を室内に吹き出すための貫流ファンと、前記空気吹き出し口から吹き出される空気に対して供給される保湿成分を保持した保湿成分保持部材と、を備える室内機を具備することを特徴とする、空気調和機に関する。
【発明の効果】
【００１０】
本発明によれば、肌等の保水性を十分に維持可能な空気調和機を提供することができる。
【図面の簡単な説明】
【００１１】
【図１】第一実施形態の空気調和機を構成する室内機及び室外機を示す図である。
【図２】室内機の上下風向板が開いた状態の図である。
【図３】図２のＡ−Ａ線断面図である。
【図４】第二実施形態の空気調和機に備えられる室内機の断面図である。
【図５】第三実施形態の空気調和機に備えられる室内機の断面図である。
【図６】第四実施形態の空気調和機に備えられる室内機の内部構造を示す正面側から視た図である。
【図７】第四実施形態の空気調和機に備えられる室内機の内部構造を示す側面側から視た図であり、上下風向板が閉じているときの図である。
【図８】室内機の内部構造を示す側面側から視た図であり、上下風向板が開いた状態の図である。
【図９】第五実施形態の空気調和機に備えられる室内機の内部構造を示す側面側から視た図である。
【図１０】第六実施形態の空気調和機に備えられる室内機の断面図である。
【図１１】第七実施形態の空気調和機に備えられる室内機の断面図である。
【図１２】第八実施形態の空気調和機に備えられる室内機の断面図である。
【発明を実施するための形態】
【００１２】
以下、図面を適宜参照しながら、本発明を実施するための形態（本実施形態）を説明する。参照する各図面及び対応する以下の記載において、同じ部材については同じ符号を付すものとし、その詳細な説明は省略する。また、図示の簡略化のために、各図において部材の一部の図示を省略することがある。
【００１３】
図１は、第一実施形態の空気調和機１００を構成する室内機１０及び室外機９０を示す図である。室内機１０は空気調和が行われる室内に設置され、室外機９０は屋外に設置される。室内機１０と室外機９０とは、接続配管９１により接続されており、接続配管９１内を冷媒が通流することで、空気調和機１００での冷房運転や暖房運転、除湿運転等が可能になっている。
【００１４】
室内機１０の正面側には、室内に存在する人の位置を確認し、適切な位置に送風を行うためのカメラ９２が備えられている。また、室内機１０の正面側には、図示しないリモコンからの室温設定や冷暖房運転を切り替える赤外線信号を受光する受光部９３が備えられている。さらには、室内機１０の正面側には、空気調和機１００の運転状況を表示する表示部９３が備えられている。
【００１５】
また、詳細は後記するが、室内機１０の内部には、貫流ファン１４や熱交換器１６等が収容されている。そして、これらは、筐体９の化粧枠８の前面に取り付けられた前面パネル１３が閉じられることで、室内機１０の内部に収容されている。また、室内機１０には、図示はしないが室内機１０を制御する各種制御装置が収容されている。さらに、室外機９０にも、図示はしないが室外機９０を制御する各種制御装置が収容されている。
【００１６】
図２は、室内機１０の上下風向板１８が開いた状態を示す図である。室内機１０では、下方に、正面側と背面側とに二組、左右方向に三組の上下風向板１８，１８が取り付けられており、空気調和機１０の運転が開始されると、これら上下風向板１８，１８が開くようになっている。また、手前側の上下風向板１８が開くことで、プリーツ状の保湿成分添着部材３０（図３参照）からの保湿成分を含む空気が排出される成分放出スリット３２が露出する。この点について、図２でのＡ−Ａ線断面図を示す図３を参照しながら説明する。
【００１７】
図３は、図２のＡ−Ａ線断面図である。即ち、図３は、成分放出スリット３２近傍の断面図である。ただし、図３では、説明の都合上、前面パネル１３が手前側に開いた運転時の状態を示している。図３において、破線の矢印Ｂ〜Ｅ及び白抜きの矢印Ｆは、風の流れを示している。室内機１０には、貫流ファン１４やフィルタ１５，１５、熱交換器１６、熱交換器１６において発生した水分を受ける露受皿１７、上下風向板１８，１８、左右風向板１９等の各種構造体が取付けられる。
【００１８】
熱交換器１６は、貫流ファン１４を囲うように略逆Ｖ字状に形成され、貫流ファン１４の吸い込み側に配置されている。この熱交換器１６は、例えば、薄いアルミニウム製の板を複数枚重ねて取り付けたフィン（熱交換板）と、これらフィンにあけられた穴に挿入された銅製又はアルミニウム製の伝熱管とにより形成される。なお、フィンとフィンとの間には微小な隙間が形成され、その間を室内の空気流が通風することで、室外機９０（図１参照）から伝熱管（図示しない）の内部を流れる冷媒と空気との間で、熱交換が行われる。
【００１９】
室内機１０においては、貫流ファン１４を作動することにより、空気は、破線矢印のように取り込まれる。このとき、取り込まれる空気中の塵埃はフィルタ１５，１５によって捕集される。フィルタ１５，１５は、吸い込まれた室内空気中に含まれる塵埃を取り除くためのものであり、熱交換器１６の吸込側を覆うように配置されている。フィルタ１５，１５に捕集された埃は空気調和運転停止後、埃をかき取るための起毛ブラシ（図示しない）のついた可動式フィルタ掃除ユニット（図示しない）を室内機１０の長手方向に沿って往復動作させることで取り除かれる。これにより、フィルタ１５，１５が清潔に維持され、フィルタ１５，１５の目詰まりによる流入空気の減少が抑制され、冷暖房性能低下が防止される。
【００２０】
空気調和機１００（図１参照）の運転中、室内空気を熱交換器１６に循環させて、加熱、冷却又は除湿した調和空気にし、これを室内に吹き出すことにより、室内環境の温熱感を快適なものとする。室内空気を熱交換器１６に循環させるため、室内機１０においては、上方に開口した開口部６Ａ（空気吸い込み口）と、正面側に向かって前面パネル１３が開くことで上方が開口して形成された開口部６Ｂ（空気吸い込み口）と、の双方から、空気調和の対象となる室内空気が取り込まれる。
【００２１】
具体的には、開口部６Ａからは、破線Ｂで示す空気が吸い込まれる。この破線Ｂで示す空気は、室内機１０に吸い込まれた後、熱交換器１６において加熱又は冷却された後、貫流ファン１４に到達する。また、開口部６Ｂでは、破線Ｃや破線Ｄで示す空気が取り込まれ、取り込まれた空気は、熱交換器１６において加熱又は冷却された後、貫流ファン１４に到達する。これらのように、熱交換器１６において加熱又は冷却された後に貫流ファン１４に到達する空気の風路のことを、便宜的に「主風路４０」（第一風路）という。そして、この主風路４０を通流した空気は、貫流ファン１４の左右方向の幅（図３において紙面に垂直な方向）と略等しい幅の空気吹き出し口１２を通じて、室内に吹き出される。このとき、使用者のリモコン操作に応じて、上下風向板１８及び左右風向板１９により、吹き出す空気の流れが上下左右方向に偏向する。
【００２２】
熱交換器１６を通過して吹き出された空気（矢印Ｆで示される流れの空気）は、夏季には熱交換器１６で除湿された空気であるため、乾燥している。また、冬季には、室内の空気そのものが乾燥しているため、吹き出される空気も乾燥していることが多い。そのため、夏季及び冬季のいずれにおいても、室内機１０から吹出された空気が直接肌に当たると、非常に不快に感じることがある。そこで、室内機１０では、この主風路４０とは別に、取り込まれた空気が熱交換器１６を経ずに室内機１０の外に排出されるようにする副風路４１（第二風路）が形成されている。そして、この副風路４１には、保湿成分を保持した、プリーツ状の保湿成分添着部材３０が配置されている。
【００２３】
これにより、図示の例では開口部６Ｂと、その開口部６Ｂの内部に存在する空気取り入れ口３１から取り込まれた空気（破線Ｅで示す流れの空気）は、加熱又は冷却されずに副経路４１を通流して、保湿成分添着部材３０に到達する。そして、この保湿成分添着部材３０によって保湿成分が空気に放出された後、保湿成分を有する空気が、成分放出スリット３２を通じて室内機１０の外部（即ち室内）に吹き出される。
【００２４】
この副風路４１には、第一実施形態では、ファン等の送風装置は設けられておらず、貫流ファン１４に至る流れＣや流れＤに伴って、流れＥが自然に生じる。また、貫流ファン１４の駆動に伴って生じる流れＦにより、成分放出スリット３２から空気が排出されようとする流れＥが発生する。そして、成分放出スリット３２から排出されようとする流れＥにより、空気取り入れ口３１に吸い込まれる流れＥが生じることになる。これらのように、室内機１０では、保湿成分は特別な送風装置を用いずに室内に放出されることになるため、室内機１０は安価かつ簡便な構成となる。
【００２５】
また、副風路４１の距離は主風路４０の距離よりも短いため、保湿成分添着部材３０から保湿成分を受け取った空気は速やかに室内に放出されることになる。そのため、効率よく肌の乾燥が抑制される。また、副風路４１は主風路４０よりも狭く、副風路４１を流れる空気の流速は遅い。そのため、副風路４１内の流れＥによる圧力損失の過度の増大が抑制される。さらには、副風路４１は主風路４０とは独立した風路であるため、副風路４１を空気の流れＥは冷暖房による影響を受けない。
【００２６】
ここで、保湿成分添着部材３０について説明する。保湿成分添着部材３０は、Ｌ−アスコルビン酸及びＬ−アスコルビン酸リン酸マグネシウム（以下、これらをまとめて「保湿成分」という）を不織布の表面に添着（保持）してなるものである。従って、室内機１０に吸い込まれた空気が保湿成分添着部材３０に接触すると、接触した空気に含まれる水分に保湿成分が溶解する。そして、保湿成分を含む空気が、室内機１０の外部、即ち室内に吹き出されることになる。
【００２７】
前記のように、保湿成分が空気中の水分に溶解することで保湿成分が室内に放出されるから、より多くの量の保湿成分を室内に放出させるためには、空気中の水分は多いことが好ましい。そこで、室内機１０では、副風路４１が形成され、熱交換器１６によって加熱又は冷却されない空気に対し、保湿成分添着部材３０に接触するようになっている。このようにすることで、例えば夏季の冷房運転時であっても、取り込まれた空気が熱交換器１４によって冷却されないことで除湿されずにある程度高湿の空気に対して保湿成分添着部材３０が接触するため、より多くの量の保湿成分が室内に放出される。また、例えば冬季でも、図示はしないが本発明者らの検討によれば、冬季の室内空気の湿度（例えば１５℃〜２５℃程度、相対湿度３５％程度）であっても、十分な量の保湿成分が室内に放出される。
【００２８】
また、前記のように、室内機１０では、プリーツ状の形態を有する保湿成分添着部材３０が配置されている。前記の保湿成分は水に溶解し易いものの、空気中の水分は気体であるため液体の水よりは溶解しにくい。そこで、保湿成分添着部材３０をプリーツ状に形成することで、保湿成分添着部材３０の表面で空気の適度な滞留を起こさせて、即ち、空気が保湿成分添着部材３０の表面に適度な回数接触させるようにすることで、保湿成分の放出がより確実なものとなる。また、保湿成分添着部材３０がプリーツ状であることで、シート状と比べて多くの保湿成分が添着される。
【００２９】
保湿成分添着部材３０に添着されるＬ−アスコルビン酸及びＬ−アスコルビン酸リン酸マグネシウムは、保湿成分として作用するものである。そして、これらの保湿成分のうち、Ｌ−アスコルビン酸（以下単に「アスコルビン酸」と記載したときは、この「Ｌ−アスコルビン酸」を指すものとする）はビタミンＣといわれるものである。また、Ｌ−アスコルビン酸リン酸マグネシウム（ビタミンＣ誘導体、以下単に「アスコルビン酸リン酸マグネシウム」と記載したときは、この「Ｌ−アスコルビン酸リン酸マグネシウム」を指すものとする）は、使用者の顔等の肌の表皮に存在するホスファターゼにより分解を受けて、アスコルビン酸（ビタミンＣ）を生成するものである。従って、これらが使用者の顔等の露出された部位に付着及び浸透することで、肌の乾燥が抑制される。また、アスコルビン酸やビタミンＣ誘導体は、化粧品や飲食物に幅広く使用されているため、馴染みある成分によって肌の乾燥防止が図られる。また、これらは抗酸化作用も有するため、抗酸化作用も奏される。
【００３０】
また、アスコルビン酸の溶解度は、アスコルビン酸リン酸マグネシウムの溶解度よりも高いため、アスコルビン酸の方が空気中の水分により多く溶解する。一方で、安定性の高さは、アスコルビン酸リン酸マグネシウムの方が、アスコルビン酸よりも高い。従って、これらを併用することで、保湿成分添着部材３０の良好な耐久性を維持しつつ、長期間に亘って十分な量の保湿成分が室内に放出される。
【００３１】
次に、図３を参照しながら、空気調和機１００の運転中の室内機１０における作用について説明する。空気調和機１００の運転中、貫流ファン１４の動作によって、白抜きの矢印で示す吹出し空気の流れＦが生じる。これにより、主風路４０内が負圧となるため、熱交換器１６へと向かう空気Ｂ〜Ｄが生じる。また、これに伴い、副風路４１へと引き込まれる吸込み空気の分流の流れＥが生じる。そして、この分流された流れＥによって、保湿成分添着部材３０から、保湿成分が成分放出スリット３２から室内に放出され、使用者の露出した部分である顔等に付着する。付着した成分は、アスコルビン酸であれば直接肌の保湿に作用する。また、付着した成分がアスコルビン酸リン酸マグネシウムであれば、皮膚の表皮に含まれる酵素のホスファターゼと反応してビタミンＣに変化し、肌の乾燥が抑制される。
【００３２】
そして、保湿成分や抗酸化物質などの人体や汚染物質などへ有効な成分を空気調和機１００の使用空間に放出させるために、室内機１０では、主風路４０とは異なる副風路４１に保湿成分添着部材３０が配置されている。そのため、圧力損失の増加を抑制することができ、低コスト化及び冷暖房性能低下を防止することができる。
【００３３】
図４は、第二実施形態の空気調和機（図示しない）に備えられる室内機１０Ｂの断面図である。前記の室内機１０（図３参照）では、成分放出スリット３２は常に開いており、また、副風路４１は室内と常に連通していた。しかし、図４に示す室内機１０Ｂでは、図示しないリモコン操作等に応じて、成分放出スリット３２を開閉可能なダンパ３３が備えられている。従って、前面パネル１３及びダンパ３３が閉じられれば、副風路４１は室内とは遮断された状態になる。
【００３４】
室内機１０Ｂでは、ダンパ３３は、通常運転時には成分放出スリット３２を塞ぐように制御される。即ち、通常運転時には、保湿成分添着部材３０に添着された保湿成分は、室内に放出されないようになっている。しかし、使用者が、肌の乾燥を抑えたい場合等にリモコン操作等を行うことで、ダンパ３３が開くように駆動する。そして、これにより、保湿成分が成分放出スリット３２を通じて室内に放出される。
【００３５】
このようにすることで、例えば冬季に特に乾燥していると使用者が感じたとき等、任意のタイミングで保湿成分を室内に放出することができる。そのため、保湿成分の過度の放出を抑制し、適度な量の保湿成分を室内に放出することができる。また、保湿成分の過度の放出が抑制されるため、保湿成分添着部材３０の長期間の性能維持を図ることができる。
【００３６】
図５は、第三実施形態の空気調和機（図示しない）に備えられる室内機１０Ｃの断面図である。前記の室内機１０（図３参照）では、副風路４１には特に送風装置等は設けられておらず、主風路４０での貫流ファン１４の駆動によって生じる空気の流れＢ〜Ｄに伴って、副風路４１内に流れＥが生じていた。しかし、図５に示す室内機１０Ｃでは、貫流ファン１４とは独立して副風路４１内に流れＥを生じさせることができるように、貫流ファン１４とは独立して制御可能な小型のファン３４（送風ファン）が副風路４１に設けられている。また、このファン３４は、熱交換器１６を用いた冷暖房運転とは独立して、制御可能である。
【００３７】
例えば室内の空調（例えば温度の変更）は不要であるため貫流ファン１４の駆動が不要又はほとんど駆動させないものの、乾燥しているために保湿成分を多く室内に放出したい場合等がありうる。そこで、このような場合には、図示しない駆動装置によってファン３４を回転駆動させることで副風路４１内に貫流ファン１４とは独立した流れＥを形成することができる。これにより、冷暖房等の空調運転は抑えた状態で任意の量の保湿成分を室内に放出することができる。
【００３８】
図６は、第四実施形態の空気調和機（図示しない）に備えられる室内機１０Ｄの内部構造を示す正面側から視た図である。なお、前記の室内機１０Ｃ（図５参照）では、副風路４１内に貫流ファン１４の駆動とは独立した流れＥを生じさせるために小型のファン３４を設けたが、図６に示す室内機１０Ｄでは、熱交換器１６と上下方向の長さがほぼ同じ大型のブロアファン３５（送風ファン）が設けられている。このブロアファン３５も、前記のファン３４と同様に、貫流ファン１４とは独立して制御可能である。さらに、ブロアファン３５は、前記のファン３４と同様に、熱交換器１６を用いた冷暖房運転とは独立して、制御可能である。このブロアファン３５は、制御装置３６によって駆動されるものである。
【００３９】
また、このブロアファン３５には、保湿成分添着部材３０が配置され、正面側の斜め加方に向かって開口する副風路４１が接続されている。そのため、図６に示す室内機１０Ｃでは、大型のブロアファン３５によって、主風路４０とは異なる風路である副風路４１を通じて、保湿成分が室内に放出されるようになっている。
【００４０】
図７は、第四実施形態の空気調和機（図示しない）に備えられる室内機１０Ｄの内部構造を示す側面側から視た図であり、上下風向板１８が閉じているときの図である。室内に保湿成分を放出しないとき、即ち、ブロアファン３５の駆動が停止しているときには、図７に示すように、上下風向板１８は閉じている。従って、保湿成分添着部材３０から無駄に室内保湿成分が放出されることが防止される。また、運転停止時には、副風路４１の開口は遮蔽されているから、良好な意匠性が維持される。
【００４１】
図８は、室内機１０Ｄの内部構造を示す側面側から視た図であり、上下風向板１８が開いた状態の図である。図示しないリモコン等により、使用者が室内に保湿成分を放出する操作を行ったときには、制御装置３６（図６参照）によるブロアファン３５の駆動とともに、上下風向板１８が開く。これにより、ブロアファン３５の近傍から取り込まれた空気は、副風路４１を通流して保湿成分添着部材３０に至る。そして、保湿成分添着部材３０において保湿成分を受け取った空気は、上下風向板１８の間を通って、室内に放出される。
【００４２】
図９は、第五実施形態の空気調和機（図示しない）に備えられる室内機１０Ｅの内部構造を示す側面側から視た図である。前記の図６〜図８に示す室内機１０Ｄでは、保湿成分添着部材３０は、副風路４１の内部に固定されていた。しかし、保湿成分添着部材３０には、室内に放出するための保湿成分が添着されている。そのため、保湿成分添着部材３０に添着された保湿成分の量は、運転時間の経過とともに減少することになる。従って、保湿成分の放出効果を維持する観点からは、保湿成分添着部材３０は定期的に新たなものに交換されることが好ましい。
【００４３】
そこで、図９に示す室内機１０Ｅでは、保湿成分添着部材３０は、交換可能なカートリッジ式になっている。そして、保湿成分添着部材３０が、副風路４１の内外を連通する連通孔３７ａに取り付けられていることで、副風路４１に対して保湿成分添着部材３０が容易に脱着可能となる。これにより、定期的に容易に保湿成分添着部材３０が交換可能となり、保湿成分の放出効果が維持される。
【００４４】
保湿成分添着部材３０が副風路４１に取り付けられた状態（図９に示す状態）において、保湿成分の放出量低下等により、使用者が保湿成分添着部材３０を新たなものに交換したい場合、まず、使用者は図９に示すように前面パネル１３を正面側に開ける。次いで、使用者は、室内機１０Ｅの内部であって、副風路４１内に露出して取り付けられている保湿成分添着部材３０を取り外す。このとき、保湿成分添着部材３０の正面側端部には、把持可能なトッテ部３７ｂが取り付けられている。そのため、使用者は、このトッテ部３７ｂを把持しながら正面側に引っ張ることで、保湿成分添着部材３０が容易に取り外される。
【００４５】
そして、使用済みの保湿成分添着部材３０を取り外した後、新たな保湿成分添着部材３０を取り付ける際には、トッテ部３７ｂを把持しながら新たな保湿成分添着部材３０（図示しない）を連通孔３７に押し込むことで、容易に新たな保湿成分添着部材３０が取り付け可能となる。最後に、前面パネル１３を閉じることで、新たな保湿成分添着部材３０を使用した空調が行われる。
【００４６】
図１０は、第六実施形態の空気調和機（図示しない）に備えられる室内機１０Ｆの断面図である。前記の各実施形態では、プリーツ状の保湿成分添着部材３０は、主風路４０とは異なる風路である副風路４１に備えられていた。しかし、図１０に示す室内機１０Ｆでは、副風路４１は形成されずに、シート状に形成された保湿成分添着部材３８が、主風路４０の途中である、上下風向板１８が開いたときの正面側表面に、両面テープ等で貼着されている。なお、この保湿成分添着部材３８の厚さは例えば０．１ｍｍ程度である。
【００４７】
保湿成分添着部材３８がシート状に形成されることで、吹き出し空気の通風抵抗及び圧力損失の増加が抑制される。そのため、冷暖房性能の低下が防止され、さらには、省エネルギ効果が図られる。また、放出された保湿成分は、室内機１０を構成する他の構成部材に衝突や吸収されることなく速やかに室内に放出されるため、効率よく肌の乾燥が抑制される。そして、保湿成分添着部材３８が上下風向板１８の正面側表面に貼着されていることで、保湿成分添着部材３８の交換がし易くなる。特に、上下風向板１８を手動で開閉可能に構成することで、保湿成分添着部材３８の交換が特に行いやすくなる。
【００４８】
図１１は、第七実施形態の空気調和機（図示しない）に備えられる室内機１０Ｇの断面図である。前記の室内機１０Ｆ（図１０参照）では、シート状の保湿成分添着部材３８が上下風向板１８の正面側表面に貼着されていたが、図１１に示す室内機１０Ｇでは、プリーツ状の保湿成分添着部材３０が、前面パネル１３の裏側（閉めたときに筐体８に対向する面の側）に貼着されている。従って、前記の室内機１０Ｆでは、室内機１０Ｆから空気が吐き出されるとき（空調後の空気）に対して保湿成分が放出されるが、図１１に示す室内機１０Ｇでは、室内機１０Ｇに空気が取り込まれるとき（空調前の空気）に対して保湿成分が放出される。
【００４９】
図１１に示す室内機１０Ｇでは、保湿成分添着部材３０に接触する空気は、開口部６Ａから取り込まれたものではなく、開口部６Ｂから取り込まれた空気である。従って、室内機１０Ｇにおいて保湿成分添着部材３０に接触する空気の量は、前記の室内機１０Ｆにおいてシート状の保湿成分添着部材３８に接触する空気の量よりも、少ない。そこで、図１１に示す室内機１０Ｇでは、保湿成分添着部材３０の形態は、できるだけ多くの量の空気と接触させる観点から、プリーツ状に形成されている。そのため、保湿成分添着部材３０を前面パネル１３の裏側に配置することで意匠性の向上が図られるとともに、十分な量の保湿成分を室内に放出することができる。
【００５０】
図１２は、第八実施形態の空気調和機（図示せず）に備えられる室内機１０Ｈの断面図である。図１２において、破線矢印Ｇ，Ｈは、取り込まれる空気の流れを示している。図１に示すように、開口部６Ａからは、貫流ファン１４に向かって矢印Ｇのように、空気が室内機１０Ｈに取り込まれる。また、開口部６Ｂからは、貫流ファン１４に向かって矢印Ｈのように、空気が室内機１０Ｈに取り込まれる。そして、室内機１０Ｈでは、開口部６Ａと開口部６Ｂとの間の筐体８の陰に隠れる位置に、空気の流れＧ，Ｈと平行になるように、プリーツ状又はシート状の保湿成分添着部材３９が配置されている。ここでいう「平行」とは、「略平行」をも含む概念であり、当該筐体８の陰から貫流ファン１４に向かう方向と同じ方向である。
【００５１】
保湿成分添着部材３９が空気の流れＧ，Ｈに対して平行に設置されることで、取り込まれる空気の流れにおける圧力損失の増加が抑制され、省エネルギ効果を図りつつ、保湿効果も奏される。
【００５２】
以上、八つの実施形態を挙げながら本実施形態を説明したが、本実施形態は前記の実施形態に限られるものではなく、前記の各実施形態に適宜変更を加えて実施することができる。
【００５３】
例えば、前記の各実施形態では、室内機の構成を中心に説明したが、各実施形態に記載の室内機は、任意の室外機（例えば図１に示す室外機９０）と組み合せて、空気調和機として実施することができる。また、各実施形態に記載の室内機１０，１０Ｂ〜１０Ｈの各構成を適宜組み合わせて実施することもできる。
【００５４】
また、前記の保湿成分は、アスコルビン酸及びアスコルビン酸リン酸マグネシウムを併用したものではなく、いずれか一方のみであってもよい。さらに、前記の保湿成分は、アスコルビン酸やアスコルビン酸リン酸マグネシウムのほか、例えばヒアルロン酸やα−リポ酸、コエンザイムＱ１０、これらの誘導体など、様々な成分を適用可能である。これらは一種が単独で用いられてもよく、二種以上が任意の比率及び組み合わせで用いられてもよい。
【００５５】
さらに、前記の各実施形態において、保湿成分添着部材３０，３８，３９は前記の形態が好ましいものの、例えばプリーツ状の保湿成分添着部材３０について、吸い込まれる空気の圧力損失を考慮し、低圧損化を図るためにシート状としてもよい。さらに、保湿成分添着部材３０，３８，３９はハニカム状のフィルタであってもよい。また、設置する保湿成分添着部材３０，３８，３９の数も図示の例に限定されず、任意の数の保湿成分添着部材３０，３８，３９を配置することで、保湿成分の放出量を向上させ、肌の乾燥抑制効果を向上させることも可能である。
【００５６】
また、前記の室内機１０Ｆ（図１０参照）において、シート状に形成された保湿成分添着部材３８は両面テープ等で上下風向板１８に貼着されていたが、保湿成分添着部材３８の取り付け構造は、例えば、上下風向板１８の上面側端部に固定用の爪を複数設け、その爪に保湿成分添着部材３８の端部を挟みこみセットする方式としてもよい。
【００５７】
さらに、前記の各実施形態において、保湿成分の室内への放出は、冷暖房等の空調とは独立して行うことができる。そして、保湿成分の室内への放出を空調とは独立して行う場合、保湿成分への放出は、例えばリモコン操作等によって使用者が適宜実行することができる。この際、リモコンに設けられた専用ボタンを使用者が押下して保湿成分放出運転（以下、「保湿運転」という）を単独で開始したり、冷暖房運転中にこの専用ボタンが押下されることで冷暖房運転に追加して保湿運転を追加したりすることができる。
【符号の説明】
【００５８】
１０，１０Ｂ，１０Ｃ，１０Ｄ，１０Ｅ，１０Ｆ，１０Ｇ，１０Ｈ  室内機
６Ａ，６Ｂ  開口部（空気吸い込み口）
１２  空気吹き出し口
１３  前面パネル
１４  貫流ファン
１６  熱交換器
３０  保湿成分添着部材（保湿成分担持部材）
３１  空気取り入れ口
３２  成分放出スリット
３４  ファン（送風ファン）
３５  ブロアファン（送風ファン）
３７ａ  連通孔
３７ｂ  トッテ部
３８  保湿成分添着部材（保湿成分担持部材）
３９  保湿成分添着部材（保湿成分担持部材）
４０  主風路（第一風路）
４１  副風路（第二風路）
９０  室外機
１００  空気調和機
【図１】
2017053512.tif 000003
【図２】
2017053512.tif 000004
【図３】
2017053512.tif 000005
【図４】
2017053512.tif 000006
【図５】
2017053512.tif 000007
【図６】
2017053512.tif 000008
【図７】
2017053512.tif 000009
【図８】
2017053512.tif 000010
【図９】
2017053512.tif 000011
【図１０】
2017053512.tif 000012
【図１１】
2017053512.tif 000013
【図１２】
2017053512.tif 000014